(57)【要約】【課題】  本発明は地震によって目地プレートの先端部がスライド移動する場合に、抵抗が少なく、スムーズに移動できるようにして、係止ピンや中央維持装置の損傷を効率よく防止することができる床用目地装置を得るにある。【解決手段】  目地プレートをスライド移動可能に支持する反目地部側が傾斜面に形成された目地プレートスライド支持凹部を備えた床用目地装置において、前記目地プレートスライド支持凹部上を前記目地プレートがスムーズにスライド移動できるように、該目地プレートスライド支持凹部を上面に多数個の突起を所定間隔で形成して床用目地装置を構成している。【選択図】  図２
2010133103.tif 000002
【特許請求の範囲】
【請求項１】
目地プレートをスライド移動可能に支持する反目地部側が傾斜面に形成された目地プレートスライド支持凹部を備えた床用目地装置において、前記目地プレートスライド支持凹部上を前記目地プレートがスムーズにスライド移動できるように、該目地プレートスライド支持凹部を上面に多数個の突起を所定間隔で形成されたスライドカバー部材で覆ったことを特徴とする床用目地装置。
【請求項２】
目地プレートスライド支持凹部は目地部側が順次低くなるような傾斜面に形成され、該目地プレートスライド支持凹部を覆うスライドカバー部材の多数個の突起の上面はほぼ水平な位置となるように目地部側の突起が順次高くなるように形成されていることを特徴とする請求項1記載の床用目地装置。
【請求項３】
目地プレートは後端部を目地プレートスライド支持凹部が形成された部位と対向する床躯体の目地部側に形成された目地プレート支持凹部に取付手段を介して取付けられており、該取付手段は目地プレートの後端部の両側部寄りの部位に設けられた係止ピン挿入ケースと、この係止ピン挿入ケース内へ目地プレートの先端部が上下方向に回動が可能となるように傾斜状態で入り込むように前記目地プレート支持凹部の躯体に固定された係止ピンと、この係止ピンの上部に着脱可能に固定された、前記係止ピン挿入ケース内をスライド移動可能な押え板と、前記係止ピン挿入ケースの内壁面に固定された前記目地プレートの先端部の上下方向の回動が可能で、かつ前記押え板と当接可能なストッパー片とで構成されていることを特徴とする請求項１、２いずれかに記載の床用目地装置。
【発明の詳細な説明】
【技術分野】
【０００１】
本発明は車両の走行が可能な左右の床躯体間の目地部を覆う床用目地装置に関する。
【背景技術】
【０００２】
従来、車両が走行可能な床用目地装置は、左右の床躯体の一方の目地部側床躯体に形成された目地プレート支持凹部と、この目地プレート支持凹部と対応する他方の目地部側床躯体に形成された反目地部側が傾斜面の目地プレートスライド支持凹部と、この目地プレートスライド支持凹部と前記目地プレート支持凹部を覆うように取付けられた２００ｋｇ〜４００ｋｇもある目地プレートと、この目地プレートの先端部が上下方向に移動可能に、該目地プレートの後端部の両側寄りの部位に形成された係止ピン挿入ケース、この係止ピン挿入ケース内に挿入される前記目地プレート支持凹部の床躯体に固定された係止ピンとからなる取付手段とで構成されていた。
【０００３】
このため、地震で２００ｋｇ〜４００ｋｇもある目地プレートがスライド移動する場合、目地プレートの先端部側の低面と目地プレートスライド支持凹部との抵抗が大きく、大きな荷重が係止ピンに加わり、損傷しやすいという欠点があった。
また、地震で目地部が狭くなるように目地プレートが大きく揺れ動いた場合に目地プレートの後端部が上方へ移動し、係止ピン挿入ケースと係止ピンとの係止状態が外れ、揺れ動きが停止しても目地プレートが元の状態へ戻れなくなるという欠点があった。
【特許文献１】特開２００７−１３２１５７
【発明の開示】
【発明が解決しようとする課題】
【０００４】
本発明は以上のような従来の欠点に鑑み、地震によって目地プレートの先端部がスライド移動する場合に、抵抗が少なく、スムーズに移動できるようにして、係止ピンや中央維持装置の損傷を効率よく防止することができる床用目地装置を提供することを目的としている。
【０００５】
また、本発明は目地プレートの底面へ侵入した砂等の塵埃を雨水等で自動的に目地部へ排出することができるとともに、目地部が狭くなるように目地プレートが大きく揺れ動いても、係止ピンが目地プレートに固定された係止ピン挿入孔より外れるのを確実に防止して、揺れ動きが停止すると自動的に元の状態へ戻すことができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地プレートをスライド移動可能に支持する反目地部側が傾斜面に形成された目地プレートスライド支持凹部を備えた床用目地装置において、前記目地プレートスライド支持凹部上を前記目地プレートがスムーズにスライド移動できるように、該目地プレートスライド支持凹部を上面に多数個の突起を所定間隔で形成して床用目地装置を構成している。
【発明の効果】
【０００８】
以上の説明から明らかなように、本発明にあっては次に列挙する効果が得られる。
【０００９】
（１）目地プレートをスライド移動可能に支持する反目地部側が傾斜面に形成された目地プレートスライド支持凹部を備えた床用目地装置において、前記目地プレートスライド支持凹部上を前記目地プレートがスムーズにスライド移動できるように、該目地プレートスライド支持凹部を上面に多数個の突起を所定間隔で形成したので、目地プレート先端部側の底面とスライドカバー部材との接触は多数個の突起で行なわれているので、目地プレートが重くても大きな抵抗なく、スムーズにスライド移動させることができる。
したがって、目地プレートを取付けている係止ピンや中央維持装置の損傷を効率よく阻止することができる。
【００１０】
（２）前記（１）によって、目地プレートの先端部側がスライドカバー部材の多数個の突起で支持されているので、目地プレートの底面に砂等の塵埃が侵入しても、多数個の突起間に砂等の塵埃が位置し、目地プレートがガタつき、騒音を出したりするのを効率よく阻止することができる。    
【００１１】
（３）前記（１）によって、目地プレートスライド支持凹部に多数個の突起を有するスライドカバー部材を取付けるだけでよいので、容易に実施することができる。
【００１２】
（４）請求項２も前記（１）〜（３）と同様な効果が得られるとともに、目地プレートの底面へ侵入した砂等の塵埃を、雨水等で目地部へ自動的に排出することができる。
したがって、清掃作業が楽で、その回数を減らすことができる。
【００１３】
（５）請求項３は前記（１）〜（４）と同様な効果が得られるとともに、地震で目地部が狭くなるように大きく揺れ動いても、目地プレートの後端部に固定されているストッパー片が係止ピンの上部に固定された押え板と当接して、脱落するのを確実に阻止することができる。
したがって、地震の揺れ動きが停止すると、自動的に目地プレートが元の状態へ戻ることができる。
このため、地震が起きても補修作業が不要で、補修費用の低減を図ることができる。
【発明を実施するための最良の形態】
【００１４】
以下、図面に示す本発明を実施するための最良の形態により、本発明を詳細に説明する。
【００１５】
図１ないし図９に示す本発明を実施するための最良の第１の形態において、１は目地部２を介して設けられた車両の走行が可能な床躯体３、３間を覆う本発明の床用目地装置で、この床用目地装置１は一方の床躯体３の目地部側に形成された目地プレート支持凹部４と、この目地プレート支持凹部４と対応する部位の他方の床躯体３の目地部側に形成された反目地部側が傾斜面５に形成された目地プレートスライド支持凹部６と、前記目地プレート支持凹部４に後端部が支持され、前記目地プレートスライド支持凹部６に先端部がスライド移動可能に支持された目地プレート７と、この目地プレート７の先端部が上下方向に回動できるように該目地プレート７の後端部を前記目地プレート支持凹部４に取付ける取付手段８とで構成されている。
【００１６】
前記目地プレート支持凹部４の表面は複数本の皿ビス１０等で、該部位の床躯体３に固定される金属材製のカバー部材１１で覆われている。
【００１７】
前記目地プレートスライド支持凹部６は目地部２側が順次低くなるような傾斜面１２に形成され、その表面はスライドカバー部材１３で覆われている。このスライドカバー部材１３は前記目地プレートスライド支持凹部６に面接触する金属材製の板状のスライドカバー部材本体１４と、このスライドカバー部材本体１４の上面に、前記目地プレート７の先端部側の底面を小さな抵抗で支持できるように、目地部側が順次高くなって、上面が水平状態となるように所定間隔で配置された多数個の半球状の突起１５と、この多数個の突起１５間の任意の部位に複数個形成された、前記スライドカバー部材本体１４を前記目地プレートスライド支持凹部６に固定するタッピングビス１６を取付けるためのタッピングビス挿入孔１７とで構成されている。
【００１８】
前記目地プレート７は図５〜図６に示すように、浅皿状の長方形状の金属材製の目地プレート本体１８と、この目地プレート本体１８内に充填されたコンクリートやモルタル１９と、このコンクリートやモルタル１９の上部に配置されたタイルやレンガ等の化粧床材２０と、前記目地プレート本体１８の先端部にヒンジ部材２１を介して取付けられたカバープレート２２とで構成されている。
【００１９】
前記取付手段８は図７に示すように、前記目地プレート７の先端部の両側部寄りの部位に設けられた四角筒状の係止ピン挿入ケース２３と、この係止ピン挿入ケース２３内へ前記目地プレート７の先端部が上下方向に回動が可能となるように傾斜状態で入り込むように、前記目地プレート支持凹部４を覆うように該部位の床躯体３に固定されたカバー部材１１に固定された角柱状の係止ピン２４と、この係止ピン２４の上部にビス２５、２５等で着脱可能に固定された、前記係止ピン挿入ケース内２３をスライド移動可能な押え板２６と、前記係止ピン挿入ケース２３の内壁面に固定された前記目地プレート７の先端部の上下方向の回動が
可能で、かつ前記押え板２６と当接可能なストッパー片２７と、前記係止ピン挿入ケース２３の上部に取付けられた上面が前記目地プレート７の上面とほぼ同一面となる脚２８ａ、２８ａを有する差し込み蓋２８とで構成されている。
【００２０】
上記構成の床用目地装置１は地震等によって目地部２が広くなったり、狭くなると、図８および図９に示すように目地プレート７の先端部が目地プレートスライド支持凹部６を覆っているスライドカバー部材１３の多数個の突起１５の上面を抵抗少なくスムーズにスライド移動して、その揺れ動きを吸収するので、取付手段８の係止ピン２４、２４に加わる荷重が小さく、損傷したりするのを効率よく阻止することができるとともに、目地プレート７の先端部の底面へ砂等の塵埃が侵入しても、スライドカバー部材１３が傾斜しており、雨水等によって多数個の突起１５間より目地部２へ排出させることができる。
目地部２が狭くなって目地プレート７の先端部が上方へ回動する場合、目地プレート７が係止ピン２４、２４より外れようとする力が作用した場合、係止ピン２４、２４の上部に固定された押え板２６、２６に目地プレート７に固定された係止ピン挿入ケース２３、２３に固定されたストッパー片２７、２７が当接して、目地プレート７が係止ピン２４、２４より外れるのを確実に防止することができる。
[発明を実施するための異なる形態]
【００２１】
次に、図１０ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１０ないし図１２に示す本発明を実施するための第２の形態において、前記本発明を実施するための最良の第１の形態と主に異なる点は、両端部が左右の床躯体３、３に設けられたスライドカバー部材１３、１３に支持される目地プレート７Ａを用いるとともに、目地プレート７Ａの中央部を目地部２の中央部に常時位置させる四角枠形状のリンク機構２９を用いた中央維持装置３０を使用する取付手段８Ａを用いた点で、このように構成した床用目地装置１Ａにしても、前記本発明を実施するための最良の第１の形態と同様な作用効果が得られる。
【００２３】
図１３ないし図１６に示す本発明を実施するための第３の形態において、前記本発明を実施するための最良の第１の形態と主に異なる点は、水平面に形成された目地プレートスライド支持凹部６Ａに目地部２側が順次低くなる複数個の脚３１を底面に形成したスライドカバー部材１３Ａを用いた点で、このように構成した床用目地装置１Ｂにしても、前記本発明を実施するための最良の第１の形態と同様な作用効果が得られる。
【００２４】
図１７ないし図１９に示す本発明を実施するための第４の形態において、前記本発明を実施するための第３の形態と主に異なる点は、目地プレートスライド支持凹部６Ａに同じ大きさの多数個の突起１５Ａを形成したスライドカバー部材１３Ｂを固定した点で、このように構成した床用目地装置１Ｃにしても、目地プレート７をスムーズにスライド移動させることができるとともに、目地プレート７の底面へ侵入した砂等の塵埃は多数個の突起１５Ａ間に位置するため、目地プレート７がガタついたりするのを効率よく阻止することができる。
【００２５】
なお、前記本発明を実施するための各実施の形態では半球状の多数個の突起１５、１５Ａをスライドカバー部材１３、１３Ａ、１３Ｂに形成するものについて説明したが、本発明はこれに限らず、円錐台形状、角錐台形状等の形状の突起であっても同様な作用効果が得られる。
また、前記本発明を実施するための第３、第４の形態は本発明を実施するための第２の形態にも同様に使用することができる。
【産業上の利用可能性】
【００２６】
本発明は上部を車両が走行する部分にでも使用できる床用目地装置を製造する産業で利用される。
【図面の簡単な説明】
【００２７】
【図１】本発明を実施するための最良の第１の形態の平面図。
【図２】図１の２−２線に沿う断面図。
【図３】本発明を実施するための最良の第１の形態のスライドカバー部材の平面図。
【図４】本発明を実施するための最良の第１の形態のスライドカバー部材の正面図。
【図５】本発明を実施するための最良の第１の形態の目地プレートの平面図。
【図６】図５の６−６線に沿う断面図。
【図７】本発明を実施するための最良の第１の形態の取付手段の説明図。
【図８】本発明を実施するための最良の第１の形態の目地部が広くなった動作説明図。
【図９】本発明を実施するための最良の第１の形態の目地部が狭くなった動作説明図。
【図１０】本発明を実施するための第２の形態の平面図。
【図１１】図１０の１１−１１線に沿う断面図。
【図１２】本発明を実施するための第２の形態の中央維持装置の説明図。
【図１３】本発明を実施するための第３の形態の平面図。
【図１４】図１３の１４−１４線に沿う断面図。
【図１５】本発明を実施するための第３の形態のスライドカバー部材の平面図。
【図１６】図１５の１６−１6線に沿う断面図。
【図１７】本発明を実施するための第４の形態の平面図。
【図１８】図１７の１８−１８線に沿う断面図。
【図１９】本発明を実施するための第４の形態のスライドカバー部材の説明図。
【符号の説明】
【００２８】
１、１Ａ、１Ｂ、１Ｃ：床用目地装置、
２：目地部、                  ３：床躯体、
４：目地プレート支持凹部、    ５：傾斜面、            
６、６Ａ：目地プレートスライド支持凹部、
７、７Ａ：目地プレート、      ８、８Ａ：取付手段、
１０：皿ビス                  １１：カバー部材、
１２：傾斜面、
１３、１３Ａ、１３Ｂ：スライドカバー部材、
１４：スライドカバー部材本体、１５、１５Ａ：突起、
１６：タッピングビス、        １７：タッピングビス挿入孔、
１８：目地プレート本体、      １９：コンクリートやモルタル、
２０：床化粧材、              ２１：ヒンジ部材、
２２：カバープレート、        ２３：係止ピン挿入ケース、
２４：係止ピン、              ２５：ビス、
２６：押え板、                ２７：ストッパー片、
２８：蓋、                    ２９：リンク機構、
３０：中央維持装置、          ３１：脚。    
【図１】
2010133103.tif 000003
【図２】
2010133103.tif 000004
【図３】
2010133103.tif 000005
【図４】
2010133103.tif 000006
【図５】
2010133103.tif 000007
【図６】
2010133103.tif 000008
【図７】
2010133103.tif 000009
【図８】
2010133103.tif 000010
【図９】
2010133103.tif 000011
【図１０】
2010133103.tif 000012
【図１１】
2010133103.tif 000013
【図１２】
2010133103.tif 000014
【図１３】
2010133103.tif 000015
【図１４】
2010133103.tif 000016
【図１５】
2010133103.tif 000017
【図１６】
2010133103.tif 000018
【図１７】
2010133103.tif 000019
【図１８】
2010133103.tif 000020
【図１９】
2010133103.tif 000021